(57)【要約】【課題】  再生中の動画の注目領域の指定を容易にする。【解決手段】    再生中の動画の一部である注目領域を指定する注目領域指定装置は、動画表示領域に動画を表示する動画再生部２００を備えている。この動画再生部２００は、注目領域を表す領域枠を表示する領域指定モードと、領域枠を表示しない通常再生モードとを有している。領域指定モードは、ポインティングデバイス１６０が操作された場合に実行され、通常再生モードは、ポインティングデバイス１６０が操作されない場合に実行される。領域指定モードにおいて、動画再生部２００は、ポインティングデバイス１６０で指定される位置と倍率の領域枠を動画上に表示する。【選択図】  図１
2005284563.tif 000002
【特許請求の範囲】
【請求項１】
動画の一部である所定の形状の注目領域を前記動画の再生中に指定するための注目領域指定装置であって、
２次元的な位置指定を行うための位置指定機構と、倍率を指定するための倍率指定機構とを有するポインティングデバイスと、
前記位置指定機構から前記動画中における前記注目領域の位置を指定する位置パラメータを取得し、前記倍率指定機構から前記注目領域の動画中における大きさを指定する倍率パラメータを取得する領域指示取得部と、
前記動画を動画表示領域に表示する動画再生部と、
を備え、
前記動画再生部は、前記動画表示領域に表示された前記動画上に前記注目領域を表す所定の形状を有する領域枠を表示する領域指定モードと、前記領域枠を表示しない通常再生モードとを有し、前記位置指定機構がユーザにより操作された場合に前記領域指定モードを実行し、前記位置指定機構がユーザにより操作されない場合に前記通常再生モードを実行し、前記領域指定モードにおいて前記領域枠を前記位置パラメータに応じた位置と前記倍率パラメータに応じた倍率で前記動画上に表示する、注目領域指定装置。
【請求項２】
請求項１記載の注目領域指定装置であって、
前記ポインティングデバイスは、さらに、前記注目領域の指定を確定するための注目領域確定機構を有しており、
前記所定の形状は、前記動画表示領域とアスペクト比が同一の矩形であって、
前記動画再生部は、ユーザの操作による前記注目領域確定機構の作動に応じて前記注目領域の画像を前記動画表示領域に拡大表示する、注目領域指定装置。
【請求項３】
請求項１または２記載の注目領域指定装置であって、
前記動画表示領域は、大きさと形状との少なくとも一方が可変な領域である、注目領域指定装置。
【請求項４】
請求項２記載の注目領域指定装置であって、
前記動画表示領域は、アスペクト比が可変の領域であり、
前記動画再生部は、前記動画表示領域のアスペクト比が変化したとき、前記領域枠のアスペクト比を前記動画表示領域のアスペクト比に変更する、注目領域指定装置。
【請求項５】
請求項３または４記載の注目領域指定装置であって、
前記動画表示領域は、表示画面に表示される動画表示ウィンドウの少なくとも一部であって、
前記動画再生部は、前記ポインティングデバイスの移動に応じて移動する前記表示画面中の位置を指示するポインタが前記動画表示ウィンドウ外から前記動画表示ウインドウに入ったときに、前記領域枠を予め決められた位置と大きさで表示する、注目領域指定装置。
【請求項６】
２次元的な位置指定を行うための位置指定機構と、倍率を指定するための倍率指定機構とを有するポインティングデバイスを用いて、動画の一部である所定の形状の注目領域を前記動画の再生中に指定する注目領域指定方法であって、
（ａ）前記位置指定機構から前記動画中における前記注目領域の位置を指定する位置パラメータを取得する工程と、
（ｂ）前記倍率指定機構から前記注目領域の動画中における大きさを指定する倍率パラメータを取得する工程と、
（ｃ）前記動画を動画表示領域に表示する工程と、
（ｄ）前記位置指定機構がユーザにより操作された場合に、前記動画表示領域に表示された前記動画上に前記注目領域を表す所定の形状を有する領域枠を表示する工程と、
（ｅ）ユーザによる前記位置指定機構の操作が所定の時間行われない場合に、前記領域枠の表示を停止する工程と、
を備え、
前記工程（ｄ）は、前記領域枠を前記位置パラメータに応じた位置と前記倍率パラメータに応じた倍率で前記動画上に表示する工程を含む、注目領域指定方法。
【請求項７】
２次元的な位置指定を行うための位置指定機構と、倍率を指定するための倍率指定機構とを有するポインティングデバイスを用いて、動画の一部である所定の形状の注目領域を前記動画の再生中に指定するコンピュータプログラムであって、
前記位置指定機構から前記動画中における前記注目領域の位置を指定する位置パラメータを取得する位置パラメータ取得機能と、
前記倍率指定機構から前記注目領域の動画中における大きさを指定する倍率パラメータを取得する倍率パラメータ取得機能と、
前記動画を動画表示領域に表示する動画表示機能と、
前記位置指定機構がユーザにより操作された場合に、前記動画表示領域に表示された前記動画上に前記注目領域を表す所定の形状を有する領域枠を表示する領域枠表示機能と、
ユーザによる前記位置指定機構の操作が所定の時間行われない場合に、前記領域枠の表示を停止する機能と、
をコンピュータに実現させるコンピュータプログラムを備え、
前記領域枠表示機能は、前記領域枠を前記位置パラメータに応じた位置と前記倍率パラメータに応じた倍率で前記動画上に表示する機能を有することを特徴とするコンピュータプログラム。
【発明の詳細な説明】
【技術分野】
【０００１】
この発明は、動画の再生中に動画の一部の領域を指定する技術に関する。
【背景技術】
【０００２】
画像処理システム等で画像の拡大などの処理を行う場合、拡大の対象となる画像の注目領域を指定するため、注目領域の対角の２点をポインティングデバイスで指示することが行われる（例えば、特許文献１参照）。
【０００３】
【特許文献１】特開平９−９８９６１号公報
【０００４】
しかしながら、処理対象となる画像が再生中の動画の場合、注目領域の対角の２点を指示する間に拡大の対象となる領域が移動し、ユーザが拡大再生を望む領域と異なる領域が指定される場合があった。
【発明の開示】
【発明が解決しようとする課題】
【０００５】
本発明は、上述した従来の課題を解決するためになされたものであり、再生中の動画の注目領域指定を容易にする技術を提供することを目的とする。
【課題を解決するための手段】
【０００６】
上記目的の少なくとも一部を達成するために、本発明の注目領域指定装置は、動画の一部である所定の形状の注目領域を前記動画の再生中に指定するための注目領域指定装置であって、２次元的な位置指定を行うための位置指定機構と、倍率を指定するための倍率指定機構とを有するポインティングデバイスと、前記位置指定機構から前記動画中における前記注目領域の位置を指定する位置パラメータを取得し、前記倍率指定機構から前記注目領域の動画中における大きさを指定する倍率パラメータを取得する領域指示取得部と、前記動画を動画表示領域に表示する動画再生部と、を備え、前記動画再生部は、前記動画表示領域に表示された前記動画上に前記注目領域を表す所定の形状を有する領域枠を表示する領域指定モードと、前記領域枠を表示しない通常再生モードとを有し、前記位置指定機構がユーザにより操作された場合に前記領域指定モードを実行し、前記位置指定機構がユーザにより操作されない場合に前記通常再生モードを実行し、前記領域指定モードにおいて前記領域枠を前記位置パラメータに応じた位置と前記倍率パラメータに応じた倍率で前記動画上に表示することを特徴とする。
【０００７】
この構成によれば、注目領域を迅速に指定することが可能となるので、再生中の動画の注目領域指定が容易となる。
【０００８】
前記ポインティングデバイスは、さらに、前記注目領域の指定を確定するための注目領域確定機構を有しており、前記所定の形状は、前記動画表示領域とアスペクト比が同一の矩形であって、前記動画再生部は、ユーザの操作による前記注目領域確定機構の作動に応じて前記注目領域の画像を前記動画表示領域に拡大表示するものとしてもよい。
【０００９】
この構成によれば、再生中の動画の任意の場所を拡大表示することが容易となる。
【００１０】
前記動画表示領域は、大きさと形状との少なくとも一方が可変な領域であるものとしてもよい。
【００１１】
この構成によれば、動画表示領域を注目領域の指定により適した状態にすることができるので、注目領域指定がより容易となる。
【００１２】
前記動画表示領域は、アスペクト比が可変の領域であり、前記動画再生部は、前記動画表示領域のアスペクト比が変化したとき、前記領域枠のアスペクト比を前記動画表示領域のアスペクト比に変更するものとしてもよい。
【００１３】
この構成によれば、再生中の動画の任意の領域を拡大表示することが容易となる。
【００１４】
前記動画表示領域は、表示画面に表示される動画表示ウィンドウの少なくとも一部であって、前記動画再生部は、前記ポインティングデバイスの移動に応じて移動する前記表示画面中の位置を指示するポインタが前記動画表示ウィンドウ外から前記動画表示ウインドウに入ったときに、前記領域枠を予め決められた位置と大きさで表示するものとしてもよい。
【００１５】
この構成によれば、注目領域指定が不要なときに領域枠が表示されることを抑制することができる。
【００１６】
なお、本発明は、種々の態様で実現することが可能であり、例えば、動画処理方法および動画処理装置、動画表示方法および動画表示装置、それらの方法または装置の機能を実現するためのコンピュータプログラム、そのコンピュータプログラムを記録した記録媒体、等の態様で実現することができる。
【発明を実施するための最良の形態】
【００１７】
次に、本発明を実施するための最良の形態を実施例に基づいて以下の順序で説明する。
Ａ．実施例：
Ｂ．変形例：
【００１８】
Ａ．実施例：
図１は、本発明の一実施例としての動画表示システム１００の構成を示す説明図である。動画表示システム１００は、コンピュータ１１０と、画像を表示する装置としてのディスプレイ１２０と、コンピュータ１１０に情報を入力する装置としてのキーボード１５０およびマウス１６０と、コンピュータ１１０に動画データを入力する装置としてのＤＶＤドライブ１３０およびデジタルビデオカメラ１４０と、を備えている。なお、マウス１６０は、２次元的な位置を検出する位置センサと、オン・オフ操作が可能なボタンと、連続的なパラメータ入力を可能にする機構（ホイール）とを有する周知のマウスである。
【００１９】
コンピュータ１１０に組み込まれた動画再生部２００は、デジタルビデオカメラ１４０等から入力される動画データから原動画ＧＤを取得する原動画取得部２２０と、原動画ＧＤから再生動画ＭＤを生成する再生動画生成部２４０と、再生動画ＭＤをディスプレイ１２０上の動画表示領域に表示する表示制御部２６０とを備えている。動画再生部２００の各構成要素の機能は、コンピュータ１１０がアプリケーションプログラムを実行することによって実現される。
【００２０】
図２は、再生動画生成部２４０の構成を示す説明図である。再生動画生成部２４０は、映像処理部２４２と、領域枠重畳部２５０と、再生制御部２４４と、領域枠制御部２４６と、領域指示取得部２４８とを備えている。再生動画生成部２４０は、原動画ＧＤをそのまま再生動画ＭＤとして出力する通常再生モードと、動画表示領域とアスペクト比が同一の領域（注目領域）を表す画像が原動画ＧＤに重畳された再生動画ＭＤを出力する領域指定モードと、原動画ＧＤのうち注目領域に対応する部分を拡大した再生動画ＭＤを出力する拡大再生モードと、を備えている。
【００２１】
領域指示取得部２４８は、マウス１６０（図１）を用いて入力されたユーザの操作入力に従って、動画表示領域における注目領域の中心位置を表す位置パラメータＰＩと、注目領域の大きさに対する動画表示領域の大きさの比を表す倍率パラメータＭＩと、注目領域の指定が確定したことを表す領域確定指示ＲＤとを取得する。具体的には、領域指示取得部２４８は、マウス１６０から供給されるマウス１６０の移動量に従って位置パラメータＰＩを変更する。同様に、領域指示取得部２４８は、マウス１６０から供給されるホイールの回転量に従って倍率パラメータＭＩを変更する。また、領域確定指示ＲＤは、マウス１６０の特定のボタンがクリックされたことを表す信号が供給されることにより取得される。このように取得された情報ＰＩ，ＭＩ，ＲＤは、領域指示取得部２４８から領域枠制御部２４６に供給される。なお、位置パラメータＰＩは、動画表示領域におけるｘｙ座標（ｐx，ｐy）で表される。
【００２２】
領域枠制御部２４６は、位置パラメータＰＩと倍率パラメータＭＩとから動画表示領域における注目領域の位置を表す領域指定情報ＲＩを取得する。領域指定情報ＲＩは、領域指示取得部２４８により取得された領域確定指示ＲＤと併せて再生制御部２４４に供給される。領域指定情報ＲＩは、動画表示領域の大きさ（Ｘ，Ｙ）と倍率パラメータＭＩの値ｍとを用いて以下の式（１）ないし（４）で算出される注目領域の左上端の点（ｘ1，ｙ1）と右下端の点（ｘ2，ｙ2）のそれぞれの座標値で表される。なお、動画表示領域の大きさ（Ｘ，Ｙ）は、表示制御部２６０（図１）から取得することができる。
【００２３】
ｘ1＝（ｐx−Ｘ／２）−Ｘ／２ｍ      …（１）
ｙ1＝（ｐy−Ｙ／２）−Ｙ／２ｍ      …（２）
ｘ2＝（ｐx−Ｘ／２）＋Ｘ／２ｍ      …（３）
ｙ2＝（ｐy−Ｙ／２）＋Ｙ／２ｍ      …（４）
【００２４】
注目領域の左上端の点と右下端の点との座標を上記（１）〜（４）式を用いて算出することにより、注目領域の中心点は位置パラメータＰＩで表される位置となり、注目領域の大きさは動画表示領域の１／ｍ倍となる。
【００２５】
再生制御部２４４は、領域枠制御部２４６から供給される領域指定情報ＲＩと領域確定指示ＲＤとに基づいて再生動画生成部２４０の動作モードを決定する。動作モードを表すモード情報ＰＭは、領域枠制御部２４６により取得された領域指定情報ＲＩと併せて映像処理部２４２に供給される。また、再生制御部２４４は、モード情報ＰＭを領域枠制御部２４６に供給する。領域枠制御部２４６は、このモード情報ＰＭと領域指定情報ＲＩとを領域枠重畳部２５０に供給する。なお、再生制御部２４４による動作モードの決定については、後述する。
【００２６】
映像処理部２４２は、再生制御部２４４から供給される領域指定情報ＲＩとモード情報ＰＭとに基づいて、原動画取得部２２０（図１）から供給される原動画ＧＤの処理を行ない中間動画ＸＤを出力する。この中間動画ＸＤは、領域枠重畳部２５０に供給される。
【００２７】
映像処理部２４２は、再生動画生成部２４０が通常再生モードまたは領域指定モードである場合、原動画ＧＤをそのまま中間動画ＸＤとして出力する。一方、再生動画生成部２４０が拡大再生モードである場合、映像処理部２４２は、原動画ＧＤのうち注目領域に対応する範囲の画像から原動画ＧＤと同一解像度の画像を生成し、生成された動画を中間動画ＸＤとして出力する拡大処理を行う。拡大処理を行う場合、映像処理部２４２は、領域指定情報ＲＩから適当な座標変換により注目領域に対応する原動画ＧＤの範囲（切出範囲）を算出する。そして、原動画ＧＤのうち切出範囲内の画像に対して周知の解像度変換処理を行うことにより原動画ＧＤと同一解像度の画像を生成しする。生成された画像は、中間動画ＸＤとして出力される。
【００２８】
領域枠重畳部２５０は、領域枠制御部２４６から供給される領域指定情報ＲＩとモード情報ＰＭとに基づいて、中間動画ＸＤに注目領域を表す画像を重畳し、再生動画ＭＤを生成する。生成された再生動画ＭＤは、表示制御部２６０（図１）に供給され、再生動画ＭＤはディスプレイ１２０（図１）上の動画表示領域に表示される。
【００２９】
領域枠重畳部２５０は、再生動画生成部２４０が通常再生モードまたは拡大再生モードである場合、中間動画ＸＤをそのまま再生動画ＭＤとして出力する。一方、再生動画生成部２４０が領域指定モードである場合、領域枠重畳部２５０は、注目領域の外周部を表す白色の矩形画像（領域枠）を生成する。そして、生成された領域枠は、中間動画ＸＤに合成され再生動画ＭＤとして出力される。
【００３０】
図３は、動画再生部２００（図１）による動画の拡大再生の一例を示す説明図である。図３の例では、動画再生部２００は、ディスプレイ１２０（図１）全面を動画表示領域ＭＤＡとするフルスクリーンモードで動画再生を行っている。また、動画再生部２００に供給される原動画ＧＤは、動画表示領域ＭＤＡと同一アスペクト比の人が画面の中央下側で走っている映像ＩＲＮを表す動画である。
【００３１】
再生動画生成部２４０（図１）が通常再生モードの場合、再生動画生成部２４０が出力する再生動画ＭＤは原動画ＧＤとなる。そのため、動画表示領域ＭＤＡには、図３（ａ）に示されるように、映像ＩＲＮが表示される。
【００３２】
図３（ａ）に示される通常再生モードから図３（ｂ）に示される領域指定モードへは、ユーザによるマウス１６０（図１）の移動操作によって切替えられる。ユーザがマウス１６０をいずれかの方向に移動させることによって領域指定情報ＲＩが再生制御部２４４に供給されると、再生制御部２４４は再生動画生成部２４０の動作モードを領域指定モードに切替える。なお、領域指定モードへの切替から所定の時間（例えば５秒）マウス１６０の操作がされない場合、再生制御部２４４は、再生動画生成部２４０の動作モードを通常再生モード（図３（ａ））に切替える。
【００３３】
領域指定モードでは、映像処理部２４２は原動画ＧＤをそのまま中間動画ＸＤとして出力する。そのため、動画表示領域ＭＤＡには、図３（ｂ）に示されるように、通常再生モード（図３（ａ））と同一の映像ＩＲＮが表示される。また、領域指定モードでは、領域枠重畳部２５０（図２）は中間動画ＸＤに領域枠を重畳し、再生動画ＭＤとして出力する。そのため、動画表示領域ＭＤＡには、図３（ｂ）に示されるように、領域枠ＩＦＭが映像ＩＲＮに重畳されて表示される。
【００３４】
なお、図３（ｂ）では、領域指定モードに切替わったときの、位置パラメータＰＩは動画表示領域ＭＤＡの中央を表す値であり、倍率パラメータＭＩは２倍の倍率を表す値となっている。そのため、領域枠ＩＦＭは、動画表示領域ＭＤＡの中央に位置し、大きさが動画表示領域ＭＤＡの１／２となっている。これらのパラメータＰＩ，ＭＩの初期値としては、例えば、前回領域指定モードが終了した時点での各パラメータＰＩ，ＭＩの値を使用することができる。
【００３５】
領域枠ＩＦＭは、ユーザによるマウス１６０の移動操作によりその位置が変更される。ユーザがマウス１６０を移動させると、位置パラメータＰＩが変更される。そして、位置パラメータＰＩの変更に伴って、領域指定情報ＲＩが変更される。領域枠重畳部２５０は、このように変更された領域指定情報ＲＩに基づいて領域枠を生成し中間動画ＸＤと合成する。図３の例では、ユーザがマウス１６０を下方に移動させることにより、位置パラメータＰＩおよび領域指定情報ＲＩが表す領域枠の位置が下方に移動する。そして、図３（ｂ）に示される領域枠ＩＦＭは下方に移動し、図３（ｃ）に示される領域枠ＩＦＭａとなる。
【００３６】
図３（ｃ）に示される領域指定モードから図３（ｄ）に示される拡大再生モードへは、ユーザによるマウス１６０のボタン操作によって切替えられる。ユーザによるマウス１６０の左ボタンＭＬＢのクリックにより、領域指示取得部２４８は、領域確定指示ＲＤを取得する。取得された領域確定指示ＲＤが再生制御部２４４に供給されると、再生制御部２４４は再生動画生成部２４０の動作モードを拡大再生モードに切替える。なお、再生動画生成部２４０の動作モードは、ユーザによるマウス１６０のボタン操作（例えば、左ボタンＭＬＢのクリック）によって拡大再生モードから通常再生モードに切替えられる。
【００３７】
拡大再生モードでは、映像処理部２４２は、原動画ＧＤのうち領域指定情報ＲＩで指定された範囲を拡大した中間動画ＸＤを出力する。そのため、動画表示領域ＭＤＡには、図３（ｄ）に示されるように、図３（ｃ）の領域枠ＩＦＭａで示される注目領域の映像ＩＲＮａが表示される。また、領域枠重畳部２５０は、中間動画ＸＤをそのまま再生動画ＭＤとして出力する。そのため、動画表示領域ＭＤＡには領域枠が表示されない。
【００３８】
図４は、動画再生部２００（図１）による動画の拡大再生の図３とは別の例を示す説明図である。図４（ａ），（ｂ）は、図３（ａ），（ｂ）と同じものである。
【００３９】
図４（ｂ），（ｃ）に示すように、領域枠ＩＦＭは、ユーザによるマウス１６０のホイールＭＷＬ操作によりその大きさが変更される。ユーザがホイールＭＷＬを回転させると、倍率パラメータＭＩが変更される。そして、倍率パラメータＭＩの変更に伴って、領域指定情報ＲＩが変更される。領域枠重畳部２５０は、このように変更された領域指定情報ＲＩに基づいて領域枠を生成し中間動画ＸＤと合成する。図４の例では、ユーザがホイールＭＷＬを下方に回転させることにより、倍率パラメータＭＩの値ｍが大きくなり、領域指定情報ＲＩが表す注目領域が小さくなる。そのため、図４（ｂ）に示される領域枠ＩＦＭは小さくなり、図４（ｃ）に示される領域枠ＩＦＭｂとなる。
【００４０】
図４（ｃ）に示される領域指定モードから図４（ｄ）に示される拡大再生モードへの切替は、ユーザによるマウス１６０のボタン操作によって実行される。ユーザによるマウス１６０の左ボタンＭＬＢのクリックにより拡大再生モードに切替えられると、動画表示領域ＭＤＡには、図４（ｄ）に示されるように、図４（ｃ）の領域枠ＩＦＭｂで示される注目領域の映像ＩＲＮｂが表示される。
【００４１】
図５は、原動画ＧＤを動画表示ウィンドウＭＤＷ中の動画表示領域ＭＤＡａに拡大再生する様子を示す説明図である。図３の例では、動画表示領域ＭＤＡはディスプレイ１２０（図１）の表示画面の全面となっているが、図５の例では、動画表示領域ＭＤＡａは表示画面に表示された動画表示ウィンドウＭＤＷ中の一部分となっている。なお、図５の例では、図３の例と異なり、原動画ＧＤと動画表示領域ＭＤＡａのアスペクト比が異なっている。動画表示領域ＭＤＡａのアスペクト比は、例えば、ユーザが動画表示ウィンドウＭＤＷの右下をドラッグすることにより動画表示ウィンドウＭＤＷの形状または大きさを変えることにより変化する。動画表示ウィンドウＭＤＷの形状を適当な形状にすると、図３の例のように、原動画ＧＤと動画表示領域ＭＤＡａのアスペクト比が同一になる。その他の点については、図３の例とほぼ同様である。
【００４２】
図５（ａ）は、マウス１６０（図１）の移動に伴って移動するマウスポインタＭＰＴが動画表示ウィンドウＭＤＷの外部から動画表示ウィンドウＭＤＷに入ったときの様子を示している。マウスポインタＭＰＴが動画表示ウィンドウＭＤＷに入ると、再生動画生成部２４０（図１）は領域指定モードとなり、動画表示領域ＭＤＡａに原動画ＧＤによって表される映像ＩＭＴと重畳された領域枠ＩＦＭｃとが表示される。図５（ａ）の例では、動画表示領域ＭＤＡａのアスペクト比が原動画ＧＤよりも横長となっているので、映像ＩＭＴの左右に黒色の背景ＩＢＫが表示されている。領域枠ＩＦＭｃは、アスペクト比が動画表示領域ＭＤＡａと同一となるように生成されるので、領域枠ＩＦＭｃも映像ＩＭＴよりも横長となっている。なお、領域指定モードで動画表示ウィンドウＭＤＷの形状やが大きさを変えることにより動画表示領域ＭＤＡａのアスペクト比が変化した場合、領域枠ＩＦＭｃのアスペクト比は、動画表示領域ＭＤＡａと同一のアスペクト比になるように変化させられる。
【００４３】
領域枠ＩＦＭｃは、動画表示領域ＭＤＡａの予め決められた位置に表示される。図５（ａ）の例では、マウスポインタＭＰＴが動画表示ウィンドウＭＤＷの下部から動画表示ウィンドウＭＤＷに入っているため、領域枠ＩＦＭｃは動画表示領域ＭＤＡａの中央下側に表示される。マウスポインタＭＰＴは、動画表示ウィンドウＭＤＷに入ると動画表示領域ＭＤＡａ外周部の最も近い位置に移動させられる。なお、動画表示領域ＭＤＡａが表示される予め決められた位置は、例えば、図３の例のように動画表示領域ＭＤＡａの中央や、前回領域指定モードが終了した時点の位置としても良い。この場合、マウスポインタＭＰＴは、領域枠ＩＦＭｃ内部の所定の位置（例えば、領域枠ＩＦＭｃの中心）に移動されるのが好ましい。
【００４４】
動画表示ウィンドウＭＤＷ上にマウスポインタＭＰＴがある状態でユーザがマウス１６０を移動させると、図５（ｂ）に示すように領域枠ＩＦＭｃはマウスポインタＭＰＴとともに移動して領域枠ＩＦＭｄとなる。ユーザが領域枠ＩＦＭｄを適当な位置に移動させた後、マウス１６０のボタン操作を行うと、再生動画生成部２４０の動作モードは図５（ｂ）で示される領域指定モードから図５（ｃ）で示される拡大再生モードへの切替えられる。拡大再生モードでは、図５（ｃ）で示されるように、動画表示領域ＭＤＡａに図５（ｂ）の領域枠ＩＦＭｄで示される注目領域の映像ＩＭＴａが表示される。
【００４５】
このように、本実施例では、注目領域をマウス１６０の移動とホイールＭＷＬの操作により迅速に指定することができるので、ユーザは原動画ＧＤの再生中に拡大再生を望む領域を容易に指定することができる。また、拡大再生される領域は、原動画ＧＤに重畳される領域枠ＩＦＭ，ＩＦＭａ，ＩＦＭｂ，ＩＦＭｃによって示され、拡大再生の対象となる領域をユーザが確認することができるので、ユーザは拡大再生を望む領域の指定をより正確にすることができる。
【００４６】
なお、本実施例では、ユーザが注目領域を指定するための入力装置としてマウス１６０を使用しているが、２次元的な位置の指定と、オン・オフ操作が可能なボタンと、連続的なパラメータ入力を可能にする機構とを有する装置（一般に、「ポインティングデバイス」と呼ばれる）であれば注目領域を指定するための入力装置として使用することができる。このような入力装置としては、例えば、ホイール付きのトラックボール等を使用することができる。
【００４７】
Ｂ．変形例：
なお、この発明は上記実施例や実施形態に限られるものではなく、その要旨を逸脱しない範囲において種々の態様において実施することが可能であり、例えば次のような変形も可能である。
【００４８】
Ｂ１．変形例１：
上記実施例では、原動画ＧＤの一部を動画表示領域上に拡大再生するために注目領域の指定を行っているが、注目領域の指定は他の用途にも適用可能である。例えば、指定された注目領域の画像を動画表示領域とは別の領域に表示するものとしてもよい。この場合、
動画表示領域で原動画ＧＤの全体を表示すると同時に、別の領域で注目領域の画像を拡大表示することが可能となる。
【００４９】
Ｂ２．変形例２：
注目領域の指定はさらに他の用途にも適用可能である。例えば、指定された注目領域の画像を他の画像と合成する動画編集に用いることもできる。この場合、注目領域の形状は丸や三角などの任意の形状とすることができる。
【図面の簡単な説明】
【００５０】
【図１】本発明の一実施例としての動画表示システムの構成を示す説明図。
【図２】再生動画生成部の構成を示す説明図。
【図３】動画再生部による動画の拡大再生の一例を示す説明図。
【図４】動画再生部による動画の拡大再生の別の例を示す説明図。
【図５】原動画を動画表示ウィンドウ中の動画表示領域に拡大再生する様子を示す説明図。
【符号の説明】
【００５１】
１００…動画表示システム
１１０…コンピュータ
１２０…ディスプレイ
１３０…ＤＶＤドライブ
１４０…デジタルビデオカメラ
１５０…キーボード
１６０…マウス
２００…動画再生部
２２０…原動画取得部
２４０…再生動画生成部
２４２…映像処理部
２４４…再生制御部
２４６…領域枠制御部
２４８…領域指示取得部
２５０…領域枠重畳部
２６０…表示制御部
ＭＬＢ…左ボタン
ＭＷＬ…ホイール
【図１】
2005284563.tif 000003
【図２】
2005284563.tif 000004
【図３】
2005284563.tif 000005
【図４】
2005284563.tif 000006
【図５】
2005284563.tif 000007